(57)【要約】【課題】キーディスプレイ部が結合されたキー入力装置及びそれを提供するデジタル装置を提供する。【解決手段】キーを識別できる文字またはイメージを表示するキーディスプレイ部、キーディスプレイ部により識別されるキーに付加された圧力によって下降後上昇する接触感知部及びキーに付加された圧力による電気的信号を生成する信号生成部を備え、キーディスプレイ部で表示する文字またはイメージは変更可能であることを特徴とするキーディスプレイ部が結合されたキー入力装置。【選択図】図２Ａ
2006216542.tif 000002
【特許請求の範囲】
【請求項１】
キーを識別できる文字またはイメージを表示するキーディスプレイ部と、
前記キーディスプレイ部により識別されるキーに付加された圧力によって下降後上昇する接触感知部と、
前記キーに付加された圧力による電気的信号を生成する信号生成部と、を備え、
前記キーディスプレイ部で表示する文字またはイメージは、変更可能であることを特徴とするキーディスプレイ部が結合されたキー入力装置。
【請求項２】
前記キーディスプレイ部に表示する文字またはイメージを決定するキーマップ情報を受信するキーマップ受信部をさらに備える請求項１に記載のキーディスプレイ部が結合されたキー入力装置。
【請求項３】
前記キー入力装置が携帯用通信装置と結合された場合、前記キーマップ受信部は、前記携帯用通信装置が結合した通信網からキーマップを受信する請求項２に記載のキーディスプレイ部が結合されたキー入力装置。
【請求項４】
前記キー入力装置がリモコンと結合された場合、前記キーマップ受信部は、前記リモコンが制御する家電製品のキーマップを受信する請求項２に記載のキーディスプレイ部が結合されたキー入力装置。
【請求項５】
前記キーディスプレイ部は、１つのキーを識別できる文字またはイメージを表示し、前記接触感知部は、前記キーディスプレイ部の上段または下段に位置する請求項１に記載のキーディスプレイ部が結合されたキー入力装置。
【請求項６】
前記キーディスプレイ部は、複数のキーに対するそれぞれの文字またはイメージを表示し、前記接触感知部は、前記キーディスプレイ部のそれぞれの文字またはイメージの上段に位置する請求項１に記載のキーディスプレイ部が結合されたキー入力装置。
【請求項７】
前記接触感知部は、前記キーディスプレイ部を通じて入力される圧力を感知する請求項１に記載のキーディスプレイ部が結合されたキー入力装置。
【請求項８】
前記キーディスプレイ部で表示する文字またはイメージは、動的な映像で構成された請求項１に記載のキーディスプレイ部が結合されたキー入力装置。
【請求項９】
前記接触感知部が前記キーディスプレイ部の上段に存在する場合、前記キーディスプレイ部で表示する文字またはイメージを投影させる材質からなる請求項１に記載のキーディスプレイ部が結合されたキー入力装置。
【請求項１０】
前記キーディスプレイ部は、有機ＥＬまたはＬＣＤからなる請求項１に記載のキーディスプレイ部が結合されたキー入力装置。
【請求項１１】
前記キーディスプレイ部に加えられる圧力を分散させ、前記キーディスプレイ部が表示する文字またはイメージを投影させる透明または半透明素材からなるディスプレイ保護部をさらに備える請求項１に記載のキーディスプレイ部が結合されたキー入力装置。
【請求項１２】
キーを識別できる文字またはイメージを表示するキーディスプレイ部と、
前記キーディスプレイ部により識別されるキーに付加された圧力によって下降後上昇する接触感知部と、
前記キーに付加された圧力による電気的信号を生成する信号生成部と、
前記キーディスプレイ部に表示される文字またはイメージを変更するディスプレイ制御部と、を備えるキーディスプレイ部が結合されたキー入力装置を提供するデジタル装置。
【請求項１３】
前記キーディスプレイ部に表示する文字またはイメージを決定するキーマップ情報を受信するキーマップ受信部をさらに備える請求項１２に記載のキーディスプレイ部が結合されたキー入力装置を提供するデジタル装置。
【請求項１４】
前記デジタル装置が携帯用通信装置である場合、前記キーマップ受信部は、携帯用通信装置が結合した通信網からキーマップを受信する請求項１３に記載のキーディスプレイ部が結合されたキー入力装置を提供するデジタル装置。
【請求項１５】
前記デジタル装置がリモコンである場合、前記キーマップ受信部は、リモコンが制御する家電製品のキーマップを受信する請求項１３に記載のキーディスプレイ部が結合されたキー入力装置を提供するデジタル装置。
【請求項１６】
前記ディスプレイ制御部は、外部から受信して保存した文字またはイメージを前記キーディスプレイ部が出力するように制御する請求項１２に記載のキーディスプレイ部が結合されたキー入力装置を提供するデジタル装置。
【請求項１７】
前記信号生成部が前記接触感知部の接触を知らせる場合、前記ディスプレイ制御部は、前記キーディスプレイ部から出力する文字またはイメージが表す機能を活性化または非活性化させる請求項１２に記載のキーディスプレイ部が結合されたキー入力装置を提供するデジタル装置。
【請求項１８】
前記キーディスプレイ部は、１つのキーを識別できる文字またはイメージを表示し、前記接触感知部は、前記キーディスプレイ部の上段または下段に位置する請求項１２に記載のキーディスプレイ部が結合されたキー入力装置を提供するデジタル装置。
【請求項１９】
前記キーディスプレイ部は、複数のキーに対するそれぞれの文字またはイメージを表示し、前記接触感知部は、前記キーディスプレイ部のそれぞれの文字またはイメージの上段に位置する請求項１２に記載のキーディスプレイ部が結合されたキー入力装置を提供するデジタル装置。
【請求項２０】
前記接触感知部は、前記キーディスプレイ部を通じて入力される圧力を感知する請求項１２に記載のキーディスプレイ部が結合されたキー入力装置を提供するデジタル装置。
【請求項２１】
前記キーディスプレイ部で表示する文字またはイメージは、動的な映像で構成された請求項１２に記載のキーディスプレイ部が結合されたキー入力装置を提供するデジタル装置。
【請求項２２】
前記接触感知部が前記キーディスプレイ部の上段に存在する場合、前記キーディスプレイ部で表示する文字またはイメージを投影させる材質からなる請求項１２に記載のキーディスプレイ部が結合されたキー入力装置を提供するデジタル装置。
【請求項２３】
前記キーディスプレイ部は、有機ＥＬまたはＬＣＤからなる請求項１２に記載のキーディスプレイ部が結合されたキー入力装置を提供するデジタル装置。
【請求項２４】
前記キーディスプレイ部に加えられる圧力を分散させ、前記キーディスプレイ部が表示する文字またはイメージを投影させる透明または半透明素材からなるディスプレイ保護部をさらに備える請求項１２に記載のキーディスプレイ部が結合されたキー入力装置を提供するデジタル装置。
【発明の詳細な説明】
【技術分野】
【０００１】
本発明は、キーディスプレイ部が結合されたキー入力装置及びそれを提供するデジタル装置に関する。
【背景技術】
【０００２】
キーパッドは、デジタル装置で重要な入力装置である。携帯電話、リモコン、ＰＤＡ、ＨＰＣ、ノート型パソコンなどのデジタル装置の機能を効率的に提供するために、どんな方式でキーパッドを構成し、どんなキーをどんな位置に生成するかは、人体工学的な面で多くの研究を必要とする分野である。
【０００３】
ところで、特定機能を入力することが人体工学的な側面を有しているが、キーパッドの位置やキーパッド機能を表す文字、イメージの配置があらゆる人に、そしてあらゆる機能に対して一括的に有用に適用されるものではない。例えば、左手を主に使用する人には、右手を主に使用する人に合わせて設計されたキーパッドが有用でないことがある。また、文字入力を中心に設計されたキーパッドは、文字より数字、または特殊文字を頻繁に入力する場合には有用でないことがある。
【０００４】
図１は、従来、キーの機能によってキーを表示する文字を変化させるディスプレイ窓を通じてソフトキーを具現した例示図である。
【０００５】
特許文献１では、特定機能によって一部キーパッドの機能が変わるソフトキーを提示した。これは、図１と類似した機能を提示する。携帯電話１０００は大きく画面１１、１２とキーパッド１１０、１２０で構成される。画面の直下方に位置するキーパッド１１０は、可変的なキー機能を提供する。可変的なキー機能とは、特定機能によって該当キーが提供する機能が変わることを意味する。（ａ）で電話帳を使用する場合、この電話帳の使用に適した機能である削除、選択、修正の機能が１１０キーにマッピングされている。そして、キーにマッピングされた機能を表すために、１２画面には該当機能を表示している。
【０００６】
（ｂ）は、ＳＭＳ（Ｓｈｏｒｔ  Ｍｅｓｓａｇｉｎｇ  Ｓｙｓｔｅｍ）機能を使用する場合である。文字を送るために編集を行う場合に必要な機能である取消、伝送、受信者が、１１０キーにマッピングされている。そして、キーにマッピングされた機能を表すために１２画面には該当機能を表示している。
【０００７】
図１では、一部のキーが提供する機能がアプリケーションによって可変的であり、この可変的な機能を該当アプリケーションが動作する場合に表すために１つの小さな窓を使用している。
【０００８】
ところが、このような小さな窓の使用は、直接キーやボタン上に表示されたものではないので、ユーザにとって、その機能を認知するのに難点がある。また、このような方式は、アプリケーションによって設定されたキーであって、ユーザの便宜によって変更可能なものではない。
【０００９】
したがって、ユーザによって、そして、機能によってキーの機能を自由に設定しうる装置が必要である。また、キーの機能またはキー自体を識別するための文字やイメージも既存の方式による場合、ユーザが自由に表すことができないという点で、このような自由なキーの使用を可能にする装置が必要である。このために該当キーの機能を表す情報をキーに直ちに表すことができる装置及び方法が必要である。
【特許文献１】韓国公開特許出願第１０−２００４−００５９４９６号
【発明の開示】
【発明が解決しようとする課題】
【００１０】
本発明の技術的課題は、キーに表示される文字またはイメージを自由に変更するところにある。
【００１１】
本発明の他の技術的課題は、キーに表示される文字またはイメージをユーザが多様に選択するところにある。
【００１２】
本発明の目的は、以上で言及した目的に制限されず、言及されていない他の目的は下の記載から当業者に明確に理解されうる。
【課題を解決するための手段】
【００１３】
本発明は、キーディスプレイ部が結合されたキー入力装置及びそれを提供するデジタル装置に関する。
【００１４】
本発明の一実施形態によるキーディスプレイ部が結合されたキー入力装置は、キーを識別できる文字またはイメージを表示するキーディスプレイ部、前記キーディスプレイ部により識別されるキーに付加された圧力によって下降後上昇する接触感知部及び前記キーに付加された圧力による電気的信号を生成する信号生成部と、を備え、前記キーディスプレイ部で表示する文字またはイメージは変更可能である。
【００１５】
本発明の一実施形態によるキーディスプレイ部が結合されたキー入力装置を提供するデジタル装置は、キーを識別できる文字またはイメージを表示するキーディスプレイ部、前記キーディスプレイ部により識別されるキーに付加された圧力によって下降後上昇する接触感知部、前記キーに付加された圧力による電気的信号を生成する信号生成部、及び前記キーディスプレイ部に表示される文字またはイメージを変更するディスプレイ制御部を備える。
【００１６】
キーまたはボタンは、デジタル装置で特定機能を活性化させるか、非活性化させる機能を提供する。例えば、”１”と書かれたキーまたはボタンを押さえる場合に１が押されるか、１と関連した機能が実行されることを意味する。携帯電話の場合、１つのキー上にいろいろな文字が表示されたことをよく見られるが、これは１つのキーが状況によりいろいろな他の機能を行うためである。
【００１７】
キーマップは、キーディスプレイ部に表すイメージ、または文字とこのキーを押した場合のコードについての情報である。例えば、最初のキーボタンに出力する文字、またはイメージが数字‘１’でない場合、該当文字またはイメージと、最初キーボタンとマッチングされているという情報を共に有していることを意味する。キー入力装置によって、キーコードは、固定されており、単にキーに出力する文字またはイメージが何かを表す情報だけ含まれた場合も存在する。
【００１８】
キーマップは、ユーザが生成して割り当ててもよく、またアプリケーションによって設定されてもよい。一方、キー入力装置が提供するデジタル装置の機能によってキー入力装置が異なる装置またはネットワークから入力される場合にも可能である。携帯電話の場合、無線通信ネットワークと連貫して設定でき、リモコンの場合、他の家電製品でキーマップ情報を受信することができる。
【発明の効果】
【００１９】
本発明を具現することによって、キーに表示される文字またはイメージを自由に変更し、かつユーザが多様に選択しうる。
【発明を実施するための最良の形態】
【００２０】
以下、添付された図面を参照して本発明の望ましい実施形態を詳細に説明する。
【００２１】
図２Ａ、図２Ｂ、図２Ｃは、本発明の一実施形態によるキーの構成を示す構成図である。
【００２２】
図２Ａ、図２Ｂ、図２Ｃに共通で存在する各部分の機能及び名称は次の通りである。
【００２３】
キーディスプレイ部１００は、文字、イメージ、または既定のカラーを表示する。有機ＥＬのようなディスプレイ装置を使用でき、有機ＥＬ以外にもＬＣＤのような極めて小さなディスプレイ装置が使用可能である。
【００２４】
有機ＥＬ（Ｅｌｅｃｔｒｏ−Ｌｕｍｉｎｅｓｃｅｎｃｅ、あるいはＯＬＥＤ：Ｏｒｇａｎｉｃ  Ｌｉｇｈｔｉｎｇ  Ｅｍｉｔｉｎｇ  Ｄｉｏｄｅｓ）は、蛍光性有機化合物を電気的に励起させて発光させる自発光型ディスプレイであって、低い電圧での駆動が可能であり、薄型などの長所を有している。また、広視野角、迅速な応答速度などＬＣＤにおいて問題と指摘されている欠点を解決しうる次世代ディスプレイの候補として注目されている。低い電圧と薄型という点でキーディスプレイ部１００の具現に適している。しかし、必ずしも有機ＥＬに限定されるものではなく、キーディスプレイ部１００は、大きく携帯電話、ＰＤＡなどのキーパッドを、小さくは、１つのキーまたはボタンの大きさを有するディスプレイ装置を含む。
【００２５】
コネクタ１５０は、キーディスプレイ部１００にどんな文字またはイメージ、またはどんなカラーを表示するかを制御する。コネクタ１５０は、ユーザの設定、またはデジタル装置内のアプリケーションによって既定の情報を表示できるようにデータを送受信できる。
【００２６】
接触感知部３００は、キーが押されたか、またはキーが、どの位押されていたかを感知する部分である。接触がなされる場合、これによる信号を生成する信号生成部が付加されうる。信号生成部３１０は、図２Ａ、図２Ｂのように接触感知部の下部に存在しうる。信号生成部３１０は、ユーザがキーを押す場合、電気をショートさせたりして、該当キーが押されたことを知らせる電気的信号を発生させる。また、ユーザがキーを押した後でキーが再び反動により上がるように構成される。これは、図４Ａ、図４Ｂ、図４Ｃで詳細に説明する。
【００２７】
キーディスプレイ部１００がユーザのキー入力を直接受けるならば、キーディスプレイ部１００に圧力が加えられて、長期使用が難しくなりうる。したがって、キーディスプレイ部１００に加えられる圧力を減らし、キーディスプレイ部１００を保護し、またキーが入力される感触を提供する透明または半透明の保護部２００が必要である。
【００２８】
図２Ｃにおいて、このような保護部２００に接触を感知する機能を付加した。したがって、キーディスプレイ部１００を通じて文字またはイメージなどを表し、その上側方向に保護部２００を結合した。この保護部２００は、接触を感知する機能を追加し、接触が起こる場合、キー入力があるということを知らせるコネクタ２５０を結合する。図２Ｃは、図２Ａ、図２Ｂとは違って、キーディスプレイ部１００の上側で接触または入力を感知して信号を生成する。
【００２９】
図３Ａ、図３Ｂ、図３Ｃは、本発明の他の実施形態によるキーの構成を示す構成図である。図２Ａ、図２Ｂ、図２Ｃでは、１つのキーに対して１つのキーディスプレイ部が文字またはイメージを表示する装置を示す。図３Ａ、図３Ｂ、図３Ｃでは、２つ以上のキーに対して１つのキーディスプレイ部がイメージまたは文字を出力し、それぞれのイメージまたは文字が１つのキーを表す。そして、これら１つのキーに対するユーザの入力（または接触）を感知するための保護部をキーディスプレイ部の上段に配列している。
【００３０】
まず、図３Ａは、斜視図である。１つのキーディスプレイ部１００には、多様な文字、またはイメージが現れている。これら文字またはイメージ１つ１つがキーを意味する。しかし、タッチスクリーンではないので、これらキーディスプレイ部１００は、入力を感知できない。入力を感知し、これらキーディスプレイ部１００を保護できるように保護部２０１、２０２、２０３がキーディスプレイ部の上方に存在する。コネクタ１５０は、キーディスプレイ部にどんな文字またはイメージなどを表示するかに関する信号を伝送し、キーディスプレイ部のカラー、輝度などを制御する。
【００３１】
図３Ｂは、側面図である。側面から見るとき、キーディスプレイ部上に１つのキーを表す保護部２０１があり、この保護部は、ユーザの入力または接触を感知しうる。そして、入力、接触が起こったことを知らせるようにコネクタ２５０を通じて信号を伝送する。
【００３２】
図３Ｃは、平面図である。上から見るとき、キーディスプレイ部１００は、キーに該当する文字またはイメージを表示している。これらそれぞれの文字またはイメージ上には、２０１、２０２、２０３のように入力を感知する保護部が存在する。各保護部２０１、２０２、２０３は、接触感知部の機能も共に行うので、入力または接触が起こる場合、信号を伝送するコネクタ２５０が各々連結されている。これらを通じていかなるキーが入力されたかが分かる。
【００３３】
前述したキーは、携帯電話、ＰＤＡ、ＨＰＣ、ノート型パソコン、リモコンなど多様なデジタル装置に適用可能である。特に、携帯電話やＰＤＡの場合、キーまたはボタンの数が少ないので、キーディスプレイ部を結合したキーを適用する場合、多様なユーザの要求を充足させうる。そして、携帯電話などに提供される着信メロディーのダウンロードのように、文字またはイメージをダウンロードして保存するサービスが提供されうる。これについては、図９の説明で詳述する。
【００３４】
図４Ａ、図４Ｂ、図４Ｃは、本発明の一実施形態による接触感知部の構成を示す構成図である。
【００３５】
接触感知部について詳細に説明すれば、次の通りである。接触感知部は、ユーザがキーを押す場合、キーが押されたことを知らせる機能を行う。また、ユーザにキーを押す感触を伝達するための機能を提供する。キーを押す感触とは、キーまたはボタンに一定の力を加えた場合、音と共にボタンが押されて機能が実行されるという感じをユーザに与えることを意味する。そのために、接触感知部は、微細な弾性を提供しうる。
【００３６】
図４Ａは、ユーザがキーを押す場合、電気的信号を発生させる接触感知部の一実施形態である。
【００３７】
図４Ａは、図２Ａ及び図２Ｂに適用されうる接触感知部の構造である。信号生成部３１０は、キーが弾力的に押されるようにする支持部３３０を含む。支持部は、弾力性素材で構成され、例えば、ゴム、スプリングなどで構成されうる。そして、キーが押された場合、電気的信号を生成する接触部３２０を含む。接触部が接触する場合、電気的信号が付加されるか、あるいは電気的信号が切れる。そして、これを通じて該当キーが押されたが分かる。支持部３３０は、弾力的に構成されるので、キーが押された後に、再びキーが原位置に復帰できるように弾性を提供する。
【００３８】
図４Ｂは、図４Ａと類似している。但し、キーを原位置に復帰させるためにゴムなどの材質を通じて弾性を提供している。
【００３９】
図４Ｃは、図２Ｃまたは図３Ａ、図３Ｂ、図３Ｃに適用しうるディスプレイ保護部２００と接触部３００が結合された場合を示している。ディスプレイ保護部２００内に接触部３２０を挿入し、ディスプレイ保護部２００に一定の圧力が加えれる場合、両接触部３２０が接触して電気的信号を生成する。キーディスプレイ部の上段に位置し、文字またはイメージを外部に表すためには、透明な材質を必要とする。透明な材質のビニール、ゴムなどで作ったディスプレイ保護部２００内に接触部３２０が挿入されている。接触部３２０が相互接触する場合、電気的にショートを起こせる連結部３２１を付加した。ディスプレイ保護部２００内には、接触部３２０が存在し、ユーザがディスプレイ保護部２００を押せば、内部で接触して電気的信号を生成する。また、連結部３２１は、元の形状へ戻るので、キーを押した後で接触部３２０を再び元の状態に離隔させる役割を行う。電気的信号は、図４Ａで説明した方式と類似している。
【００４０】
図５は、本発明の一実施形態によるキーディスプレイ部を備えた装置の構成図である。本実施例で使われる”部”という用語、すなわち、”モジュール”または”テーブル”という用語はソフトウェアまたはＦＰＧＡまたはＡＳＩＣのようなハードウェア構成要素を意味し、モジュールは所定の役割を行う。しかし、モジュールはソフトウェアまたはハードウェアに限定されるものではない。モジュールはアドレッシングできる保存媒体に位置すべく構成されても良く、１つまたはそれ以上のプロセッサーを再生させるように構成されても良い。したがって、一例としてモジュールはソフトウェア構成要素、客体向けソフトウェア構成要素、クラス構成要素及びタスク構成要素のような構成要素と、プロセス、関数、属性、プロシージャー、サブルーチン、プログラムコードのセグメント、ドライバー、ファームウェア、マイクロコード、回路、データ、データベース、データ構造、テーブル、アレイ及び変数を含む。構成要素とモジュール内で提供される機能はより少数の構成要素及びモジュールに結合されるか、追加的な構成要素とモジュールにさらに分離されうる。のみならず、構成要素及びモジュールはディバイスまたは保安マルチメディアカード内の１つまたはそれ以上のＣＰＵを再生させるように具現されることもある。
【００４１】
キーディスプレイ部１００は、図２Ａ、図２Ｂ、図２Ｃ及び、図３Ａ、図３Ｂ、図３Ｃで説明したキーを識別できる文字またはイメージなどを出力するキーディスプレイ部を意味する。
【００４２】
キーディスプレイ部１００にどんな文字またはイメージを表示するかを設定し、変更する作業は、キーディスプレイ制御部５５０で行う。キーディスプレイ制御部５５０は、キーパッドディスプレイ出力部５１０とキーパッドディスプレイ設定部５２０、キーパッド入力処理部５３０を含む。
【００４３】
キーパッドディスプレイ出力部５１０は、キーディスプレイ部１００に出力する文字またはイメージを信号に伝送する。
【００４４】
キーパッドディスプレイ設定部５２０は、どんな文字またはイメージ、どんな輝度、どんなカラーで表すかを設定する。キーパッドディスプレイ設定部５２０は、ユーザが自由に文字またはイメージを設定できる。また現在実行しているアプリケーションによって設定された文字またはイメージセットを表示しうる。
【００４５】
一方、ピボット（ｐｉｖｏｔ）機能と連係しうる。携帯電話、ＰＤＡなどを回転させて上下、または左右が変わるか、９０°に回転する場合、これにより、キーパッドにディスプレイされる文字またはイメージも共に回転されうる。キーパッドディスプレイ設定部５２０では、ユーザの入力によって、または回転を感知するセンサーによりキーパッドディスプレイ出力部５１０に出力する文字、またはイメージを制御し、その結果、キーディスプレイ部１００に回転、または左右、上下が変わった文字またはイメージを出力しうる。
【００４６】
接触感知部３００は、ユーザのキー入力を感知する。キーの機能がアプリケーションによって、ユーザによって異なって設定できるので、キーパッド入力処理部５３０は、入力された信号が如何なる機能と関連しているかについての情報に基づいて入力を処理しうる。このような情報は、キーパッドディスプレイ設定部５２０で設定した情報に基づいてなされる。
【００４７】
図６は、本発明の一実施形態によるアプリケーションによって携帯電話でのキー配列が変更された場合を示す例示図である。
【００４８】
１００１は、通常の携帯電話のキーを示す。左手を主に使用する人に便利に数字配列を左右に変えたことが１００２である。この際、各キーが提供する機能によってディスプレイされる文字が変わったことが分かる。
【００４９】
１００３は、衛星放送を受信する場合である。衛星放送を受信する場合に数字が羅列されたキーパッドよりは、放送チャンネルを容易に変更できるキーパッドが有用である。これにより、放送チャンネル名がキーパッドにディスプレイされる。チャンネルを選択し易くＳＢＳ、ＭＢＣ、ＫＢＳとＣｈ１、Ｃｈ２などが現れる。ユーザが特定チャンネルを選択しようとする場合、該当チャンネルが表示されたキーを押せば、チャンネルが変更される。１００４は、携帯電話でインターネット機能を用いる場合である。携帯電話でインターネットを用いる場合、特定のウェブページに迅速に移動する機能が必要である。
【００５０】
１００４には、ユーザが頻繁に使用するウェブページがキーにディスプレイされている。ユーザは、所望のサイトに移動しようとする場合、キーを押すことによって行える。
【００５１】
図７は、本発明の一実施形態によるキーパッドに現れた文字またはイメージを拡大するか、フォントを変更して表す場合を示す例示図である。
【００５２】
携帯電話の場合、ユーザの好みによって画面に出力される文字のフォント、大きさ、カラーなどを設定しうる。しかし、キーパッドに文字がプリントされた場合には、これを変更できない。
【００５３】
図７の携帯電話１０１０のキーパッドに現れたキーの機能を表す文字の大きさを拡大したのが携帯電話１０１１である。ユーザがディスプレイされる文字またはイメージを拡大して、ユーザが容易にキーを識別可能にした。
【００５４】
一方、携帯電話１０１２は、ユーザの好みによってディスプレイされる文字のフォントを変更した場合を示す。このような文字のフォントセットは、デジタル装置に内蔵されたフォントを使用してもよく、無線または有線を通じて受信したフォントを使用しても良い。
【００５５】
もちろん、文字のフォントを調整することだけでなく、イメージを出力することもできる。ユーザが好むカラーを付加してキーに出力でき、このような利用方案は多様である。また、動的なイメージを出力できる。動的なイメージとは、２つ以上のイメージが時間をおいて変化することを意味する。キーに現れるイメージまたは文字が固定されず、動的に変化するイメージまたは文字ならば、ユーザがキーを識別し、デジタル装置を使用するのにさらに多くの楽しみを感じることができる。
【００５６】
図８は、本発明の一実施形態による一部のキーにキーディスプレイ部が結合された場合を示す例示図である。
【００５７】
キーディスプレイ部は、あらゆるキーに装着される必要はない。その機能が頻繁に変わるか、ユーザが頻繁に使用する一部のキーにだけ装着され、変わる機能によって文字またはイメージを出力することもできる。携帯電話１０２１、１０２２では、様々なキーのうち、最も上にある３つのキーにのみキーディスプレイ部が結合されている。したがって、状況によって、またはユーザの選択によって、１２１、１２２のように３つのキーに表示される文字またはイメージが変わる。携帯電話１０２１、１０２２の数字キーは変化が無いということが分かる。
【００５８】
図９は、本発明の一実施形態によるキーにディスプレイする文字またはイメージを外部から受信する過程を示す例示図である。
【００５９】
イメージは、ファイルとして存在しうる。文字の場合は、フォントファイルとして存在しうる。したがって、インターネット、または移動通信社で提供するサービスを通じて外部のサーバー９０２からイメージファイルまたはフォントファイルなどをダウンロードすることができる。一方、ＵＳＢを通じてノート型パソコン９０１からユーザが直接作ったイメージまたはフォントファイルをダウンロードしうる。現在、携帯電話、ＰＤＡなどで音楽ファイル、ゲームなどを有料でダウンロードするように、キーにディスプレイする文字またはイメージを有料でダウンロードして使用しうる。
【００６０】
図１０は、本発明の一実施形態によるキーに出力する文字またはイメージをセットする過程を示す例示図である。
【００６１】
携帯電話１０３１で特定イメージを表示し、イメージを如何なるキーに割り当てるかを選択する。ここで、ユーザが‘１’を押す場合、‘１’キーにイメージを表示させる。ユーザが‘１’を選択した結果、携帯電話１０３２のようにキーディスプレイ部がイメージを表示している。
【００６２】
図１１は、本発明の一実施形態によるキーに出力する文字またはイメージをセットする過程を示す順序図である。
【００６３】
図９で説明したように、外部から文字またはイメージをダウンロードされて保存する（Ｓ１０１）。そして、キーを設定する過程を行う。文字またはイメージを設定するアプリケーションによってキーを、先に選択するか、またはイメージや文字を先に選択するかが変わる（Ｓ１０２）。文字またはイメージを先に選択する場合、キーディスプレイ部に表示する文字またはイメージが携帯電話のようなデジタル装置の画面に出力される。そして、キーディスプレイ部に表示する文字またはイメージを選択する（Ｓ１１１）。そして、選択した文字またはイメージを表示するキーを選択する（Ｓ１１２）。図９の過程のように該当するキーを押すことによって可能である。
【００６４】
一方、Ｓ１０２段階でキーを、先に選択する場合に、文字またはイメージを出力するキーを選択する（Ｓ１２１）。そして、前記選択したキーのキーディスプレイ部に表示する文字またはイメージを選択する（Ｓ１２２）。
【００６５】
このように出力する文字またはイメージとキーとが選択されれば、これらについての情報を保存する（Ｓ１３１）。図５で説明したキーパッドディスプレイ設定部５２０を通じてなされる。そして、Ｓ１１２またはＳ１２１で選択したキーのキーディスプレイ部に、選択した文字またはイメージを出力する（Ｓ１３２）。
【００６６】
もし、図３Ａのように１つのキーディスプレイ部が様々なキーを表す場合には、該当キーに該当する位置に、選択した文字またはイメージを出力する。
【００６７】
図１２は、本発明の一実施形態によるネットワーク状態と現在の地域によってキーボタンが変更される例示図である。
【００６８】
最初の携帯電話１０５１は、日本でローミングサービスを受ける場合である。携帯電話は、現在の地域が日本であるということを認識するので、日本語がキーディスプレイ部に出力される。同じ方式で米国に移動した場合、携帯電話１０５２は米国であるということを認識し、英語がキーディスプレイ部に出力される。同じメカニズムで韓国に移動した場合、携帯電話１０５３は韓国にローミングされたということを認識し、ハングルをキーディスプレイ部に出力する。ローミングサービスにより地域を認識することは、携帯電話内のローミングを担当するモジュールで制御する。
【００６９】
図１３は、本発明の一実施形態によるショッピング端末機のボタンが変更される例示図である。
【００７０】
ユーザが買い物をするために陳列台に移動するとき、陳列台に付着された無線通信モジュールまたはＲＦＩＤから信号を発生すれば、ユーザのショッピング端末機１１０１、１１０２のボタンが値段とこれに該当するボタンに変更される。本明細書で提示したキーディスプレイ部が結合されたキーは、携帯電話以外にもキーを使用する多様な機器に装着可能である。１１０１と１１０２は、各々ユーザのショッピング時に携帯する端末機である。ユーザが食料品陳列台２００１に接近すれば、食料品陳列台の無線通信モジュールまたはＲＦＩＤで商品についての情報を知らせる信号を発生し、端末機１１０１はその情報を受けて出力する。端末機のディスプレイ部１１に豆腐という商品について表示する。そして、キーボタンには、豆腐販売数量と値段とを表示し、ユーザが容易にボタンを押してショッピングする数量と値段とを計算しうる。
【００７１】
また、ユーザが洗剤陳列台２００２に移動する場合、石鹸についての情報が端末機１１０２のディスプレイ部１１に石鹸という商品について表示する。そして、キーディスプレイ部には、石鹸販売数量と値段とを表示し、ユーザが容易にボタンを押してショッピングする数量と値段とを計算しうる。
【００７２】
図１４は、本発明の一実施形態による携帯用端末機のキーディスプレイ部にリンクが表示される例示図である。
【００７３】
ユーザが携帯用端末機１２０１でインターネットを行える。最近、携帯用端末機でインターネット機能を用いるのは、ＷＡＰ（Ｗｉｒｅｌｅｓｓ  Ａｐｐｌｉｃａｔｉｏｎ  Ｐｒｏｔｏｃｏｌ）を通じて可能である。リンクの移動時には、該当リンクに上下左右方向キーを用いて移動する方式を採択している。
【００７４】
ところが、該当ＷＡＰページに存在するリンクが、図１４のようにキーディスプレイ部に現れる場合、該当ボタンだけを押して移動が可能となる。
【００７５】
図１４において、現れたリンクは、‘ヤフー’、‘パランドットコム’‘ＭＢＣ’、‘ＳＢＳ’、‘Ｍ−ＴＶ’があり、それぞれのリンクに移動するために、携帯用端末機１２０１のキーディスプレイ部に各々表示されている。ユーザは、該当リンクへの移動を希望する場合には、該当キーを押すことで可能となる。‘ヤフー’サイトへの移動を希望する場合、‘ヤフー’が出力されたキーディスプレイ部を押すことによってサイト移動がなされる。
【００７６】
図１５は、本発明の一実施形態によるリモコンのキーボタンが家電機器が提供する新たなボタンイメージまたはコードを表す例示図である。
【００７７】
最近、１つのリモコンが複数の電子製品を制御できるように１つのリモコンに多様な機能を設定している趨勢である。ところが、かかる場合、実際使用するキーボタンには限界がある。したがって、電子製品によってリモコンのキーディスプレイ部に文字またはイメージなどを出力する必要がある。
【００７８】
ＴＶ２００５と関連した機能がリモコン１３０１に表示される。チャンネル選択のための数字、ボリューム調節、チャンネル調節、そして様々な種類の放送を受信する場合、衛星放送を視聴するか、ケーブルを視聴するかなどを表すことができる。これは、ＴＶ２００５でリモコン１３０１に表示する文字またはイメージをリモコン１３０１に伝送して設定しうる。また、‘Ｖｉｄｅｏ’のように他の家電製品を制御できるようにトグルされるようにボタンに文字を表示しうる。
【００７９】
一方、同じリモコンでビデオを制御することもできる。リモコン１３０１で‘Ｖｉｄｅｏ’ボタンを押すか、ビデオから新たなキーイメージ及びキーコードなどを受信すれば、１３０２のようになる。ビデオの制御に必要な再生、停止、４倍速検索、１／２倍速検索のように多様な速度を制御しうる機能を提供している。
【００８０】
電子製品に内蔵されたキーディスプレイ部に表す文字またはイメージを受信して出力することを通じて、ユーザはリモコンを多様に利用しうる。
【００８１】
本発明が属する技術分野で当業者ならば本発明がその技術的思想や必須特徴を変更せずとも他の具体的な形に実施されうるということが理解できるであろう。
【００８２】
したがって、前述した実施例は全ての面で例示的なものであって、限定的なものではないと理解せねばならない。本発明の範囲は詳細な説明よりは特許請求の範囲により表れ特許請求の範囲の意味及び範囲、そしてその等価概念から導かれるあらゆる変更または変形された形態が本発明の範囲に含まれると解釈されねばならない。
【産業上の利用可能性】
【００８３】
本発明は、キー入力装置及びそれを提供するデジタル装置に関連した技術分野で好適に適用されうる。
【図面の簡単な説明】
【００８４】
【図１】従来にキーの機能によってキーを表示する文字を変化させるディスプレイ窓を通じてソフトキーを具現した例示図である。
【図２Ａ】本発明の一実施形態によるキーの構成を示す構成図である。
【図２Ｂ】本発明の一実施形態によるキーの構成を示す構成図である。
【図２Ｃ】本発明の一実施形態によるキーの構成を示す構成図である。
【図３Ａ】本発明の他の実施形態によるキーの構成を示す構成図である。
【図３Ｂ】本発明の他の実施形態によるキーの構成を示す構成図である。
【図３Ｃ】本発明の他の実施形態によるキーの構成を示す構成図である。
【図４Ａ】本発明の一実施形態による接触感知部の構成を示す構成図である。
【図４Ｂ】本発明の一実施形態による接触感知部の構成を示す構成図である。
【図４Ｃ】本発明の一実施形態による接触感知部の構成を示す構成図である。
【図５】本発明の一実施形態によるキーディスプレイ部を含む装置の構成図である。
【図６】本発明の一実施形態によるアプリケーションによって携帯電話でのキー配列が変更された場合を示す例示図である。
【図７】本発明の一実施形態によるキーパッドに現れた文字またはイメージを拡大するか、あるいはフォントを変更して表す場合を示す例示図である。
【図８】本発明の一実施形態による一部キーにキーディスプレイ部が結合された場合を示す例示図である。
【図９】本発明の一実施形態によるキーにディスプレイする文字またはイメージを外部から受信する過程を示す例示図である。
【図１０】本発明の一実施形態によるキーに出力する文字またはイメージをセットする過程を示す例示図である。
【図１１】本発明の一実施形態によるキーに出力する文字またはイメージをセットする過程を示す順序図である。
【図１２】本発明の一実施形態によるネットワーク状態と現在地域によってキーボタンが変更される例示図である。
【図１３】本発明の一実施形態によるショッピング端末機のボタンが変更される例示図である。
【図１４】本発明の一実施形態による携帯用端末機のキーディスプレイ部にリンクが表示される例示図である。
【図１５】本発明の一実施形態によるリモコンのキーボタンが、家電機器が提供する新たなボタンイメージまたはコードを表す例示図である。
【符号の説明】
【００８５】
１００    キーディスプレイ部
２００    保護部
３００    接触感知部
５５０    キーディスプレイ制御部
【図３Ｂ】
2006216542.tif 000003
【図３Ｃ】
2006216542.tif 000004
【図５】
2006216542.tif 000005
【図６】
2006216542.tif 000006
【図７】
2006216542.tif 000007
【図８】
2006216542.tif 000008
【図１０】
2006216542.tif 000009
【図１１】
2006216542.tif 000010
【図１２】
2006216542.tif 000011
【図１３】
2006216542.tif 000012
【図１４】
2006216542.tif 000013
【図１】
2006216542.tif 000014
【図２Ａ】
2006216542.tif 000015
【図２Ｂ】
2006216542.tif 000016
【図２Ｃ】
2006216542.tif 000017
【図３Ａ】
2006216542.tif 000018
【図４Ａ】
2006216542.tif 000019
【図４Ｂ】
2006216542.tif 000020
【図４Ｃ】
2006216542.tif 000021
【図９】
2006216542.tif 000022
【図１５】
2006216542.tif 000023